(57)【要約】【課題】便利に使用されている傘等が、収納所持移動の際には、邪魔になりつつある。例えば、濡れた雨傘の接触により自分もその他も濡れてしまう。それらの煩わしさを軽減出来ない。という課題が有る。【解決手段】着脱自在長短調節可能なベルトを用いる。傘等本体に設置したベルトの巻き取り機を用いる。ベルトは、ベルト巻き取り機より引き出すこと、収納格納が、可能である。ベルトは、着脱自在な傘等カバーを該加設可能であり、ベルトと一体化可能であるという手段を構築した。【選択図】図１
2018079271.tif 000002
【特許請求の範囲】
【請求項１】
課題を解決するための手段で構築した特徴を持つベルトの巻き取り機、該用法。ベルトの巻き取り機を傘等の本体に設置することにより、ベルトの引き出し、収納が、可能で、簡単にでき、傘等の収納所持携帯が容易になる、傘等のホルダー。
【請求項２】
請求項１に掲げた構造構成を特徴とするベルト巻き取り機よりベルトを引き出すと同時に傘等カバーが露出し、ベルトを巻き取り機に収納すると同時にカバーも収納格納される。という傘等のホルダー。
【発明の詳細な説明】
【技術分野】
【０００１】  本発明は、傘等の収納所持携帯に関する。
【背景技術】
【０００２】  従来は、傘等を畳んだ状態は、棒状の形状で、持ち運びをする。傘等の全体形状は、程度の長さと量を有しているために持ち運びしにくい。【０００３】  従来は、傘等の持ち手は、手に握る形状のもの、先端部分をＪ字に曲げて腕に掛けられる形状のもの、紐様の輪を手首に通すものがある。【０００４】  従来は、傘ケースとして、傘等とは別に同柄の布、幕、等のカバーが、付属品としてあり、カバーに傘等を収納するものがある。
【先技術文献】
【特許文献】
【０００５】
【特許文献１】  特開２００５−３４２７８  出願番号    特開２００３−１９８７９１  公開日平成１７年２月１０日  ［発明の名称］肩掛け用ストラップ付き傘
【特許文献２】  特開２００２−３０６２２１出願番号  特願２００１−１５３２０６  公開日平成１４年１０月２２日  ［発明の名称］傘肩掛けベルト
【非特許文献】
【０００６】
【非特許文献１】
【０００７】  巻き取り機器が存在する。例、メジャー等。
【０００８】  カバーとなるものが、存在する。
【発明の概要】
【発明が解決しようとする課題】
【０００９】  従来の傘等は、所持移動の際の持ち運びがしにくくて知らず知らずのうちにストレスになっていること。生活で使用している傘認識により、そのストレスを当然のこととして受け入れて我慢している。という課題がある。【００１０】  従来の傘等の所持移動の現状は、量高いために、それだけで手と腕を占有してしまいがちで持ち運びしにくいこと。という課題がある。【００１１】  従来は、例えば雨に濡れた傘等を収納所持しつつ移動する時に、その濡れた傘等の接触等により、自分もその他も多少なりとも濡れたり汚れたりしてしまうこと。という課題がある。【００１２】  従来の大抵の傘等には、布、幕、他等でのカバーが、別に、付属品にある。傘等使用の際には、カバーは邪魔になるだけだから、つい放置し、紛失しやすい。という課題がある。
【課題を解決するための手段】
【００１３】  本発明は、持ち手に着脱自在長短調節可能ベルトを、設けること。の手段を構築した。【００１４】  本発明は、傘等の持ち手を、肩掛けベルト形態にすることにより、傘等の収納所持移動を、容易にすること。の手段を構築した。【００１５】  本発明は、加設する部品は、適度に軽量化した部品である。という手段を構築した。【００１６】  本発明は、加設する部品が小型軽量のために、従って傘等全体重量も軽量となる。という手段を構築した。【００１７】  本発明は、傘等に加設する部品が、小型軽量のために、安価となる。という手段を構築した。【００１８】  本発明は、加設する部品が小型軽量のために安価であり、よって傘等全体製品も安価である。という手段を構築した。【００１９】  本発明は、既存の傘等製品に、部品加設することが可能である。という手段を構築した。【００２０】  本発明は、新しく製造製品化する傘等に、最初から設置することが可能である。という手段を構築した。【００２１】  本発明は、従来の傘等の付属品カバーが、不用となる手段を構築した。【００２２】  本発明は、従来の傘等の付属品カバーが不用のため、それを製作製品化するに相当な時間と費用の節約が、可能となる手段を構築した。【００２３】  本発明は、傘等本体部分に設置したベルト巻き取り機より、長短調節可能ベルトを引き出せることが可能である。という手段を構築した。【００２４】  本発明は、傘等本体部分に設置したベルト巻き取り機に、長短調節可能ベルトの収納格納が、可能である。という手段を構築した。【００２５】  本発明は、傘等本体に設置している連結部に、着脱自在な長短調節可能ベルトの連結が、可能である。という手段を構築した。【００２６】  本発明は、長短調節可能ベルトに、着脱可能な傘等カバーを装備する。という手段を構築した。
【発明の効果】
【００２７】  本発明は、傘等本体部分に設けたベルト巻き取り機により、従来の傘等の収納所持移動時の、煩わしさ等が、軽減するという効果を発揮する。【００２８】  本発明は、傘等の収納所持移動が、従来の傘等のそれよりも、容易である。という効果を発揮する。【００２９】  本発明は、傘等を新しく製造製品化の折には、最初から設けることが可能である。という効果を発揮する。【００３０】  本発明は、新しく製造製品化時に生じる価格は、従来の傘等製造製品化時と、大差がなく、安価で実現化が可能である。という効果を発揮する。【００３１】  本発明は、既存する傘等に部品を加設することができるために、安価に実現化が可能である。という効果を発揮する。【００３２】  本発明は、部品重量に於いては、小型軽量傾向である。という効果を発揮する。【００３３】  本発明は、本体重量に於いては、加設する部品が小型軽量傾向で、従来の傘等既製品と大差がない。という効果を発揮する。【００３４】  本発明は、傘等の収納所持移動時の携帯が、従来既製品のそれより、より快適にできる。という効果を発揮する。【００３５】  本発明は、既存する傘等既製品に部品の加設が可能。という効果を発揮する。【００３６】  本発明は、たいていの傘等の既存既製品の付属ケース、カバーが、不用。という効果を発揮する。【００３７】  本発明は、従来既製品の付属品を製造製品化するに充たる時間と費用が、節約できる。という効果を発揮する。【００３８】  本発明は、加設部品の小型軽量傾向、簡単構造、既製品メジャー等の応用が可能であるために、製造製品実現化には、容易に、安価に、短時間、等で可能である。という効果を発揮する。【００３９】  本発明は、着脱自在な傘等カバーを設けているという効果を発揮する。【００４０】  本発明は、傘等本体に、着脱自在な長短調節可能連結可能ベルトを、出し入れ、収納格納するための巻き取り機を設ける。という効果を発揮する。【００４１】  本発明は、傘等の本体に設置の、着脱自在連結可能ベルト受け具より、着脱自在の長短調節可能な連結可能ベルトを、外して、ベルト巻き取り機に収納可能である。という効果を発揮する。【００４２】  本発明は、着脱自在な長短調節可能ベルトに、カバーを収納可能である。という効果を発揮する。【００４３】  本発明は、着脱自在な長短調節可能ベルトに、カバーの装着は、自在に可能である。という効果を発揮する。
【図面の簡単な説明】
【００４４】
【図１】  本発明の実施形態を示す傘等の携帯ホルダー傾斜図
【発明を実施するための形態】
【００４５】  以下、本発明の実施形態を図１と符号に基づいて詳説する。
【００４６】  図１に於いては、傘等の斜景図である。該、側面図、真上図、底面図。
【００４７】  傘等の本体（図１―７）に、ベルト巻き取り機（図１―１）を設ける
【００４８】  ベルト出し入れ口（図１−３）を設ける。
【００４９】  着脱自在な連結部（図１−５）を、ベルト巻き取り機（図１―１）、ベルト受け口（図１−２）に設ける。
【００５０】  傘等本体に設置した受け口（図１―２）を設けている。
【００５１】  傘等の骨部（図１―６）。
【００５２】  傘等の布製覆、幕覆、その他覆、等は図示せず。
【００５３】  ベルト（図１−４）の長短調節可能具（図１−８）。
【実施例】
【００５４】該ベルトを傘等の本体に装着し、傘等ホルダーとして使用可能。【００５５】  ベルト（図１−４）は、長短調節具（図１−８）、連結自在具（図示せず）を設置可能であり、傘等のカバーを収納格納可能（図示せず）である。【００５６】  傘等のホルダーとするには、ベルト（図１−４）をベルト出し入れ口（図１−３）より、引き出してベルトの受け具（図１−２）に装着する。【００５７】  ベルト（図１−４）をベルト巻き取り機（図１−１）より引き出すとき、ベルトに着脱自在なカバーが設置されているときは、傘等のカバーも同時に引き出せる。【００５８】  ベルト（図１−４）を、ベルトの受け具（図１−２）から外し、ベルト巻き取り機（図１−１）に巻き取らせる時、ベルトに着脱自在なカバーが設置されているときは、傘等のカバーも同時に巻き取られる。【００５９】  ベルト巻き取り機（図１−１）は、例えば、メジャー等を応用可能である。【００６０】  ベルト（図１−４）と傘等カバー（図示せず）は、一体化可能である。【００６１】  ベルト（図１−４）と傘等カバー（図示せず）は、各々、止め具（図示せず）を設けることが可能である。【００６２】  ベルト巻き取り機より引き出したベルト（図１−４）に、傘等のカバーが取り付けられているときは、傘等を覆うことができる。【００６３】  傘等のカバーに設けた止め具（図示せず）は、傘等を覆ったとき、そこに使用可能である。
以下、本発明の１実施例を詳説する。【００６４】  傘等の本体（図１―７）に、ベルト巻き取り機（図１―１）を設置し、そこには、出し入れ名口（図１−３）格納する。【００６５】  ベルト（図１−４）に収納可能なスペースを設けて、傘等のカバー等を収納可能にできる。【００６６】  ベルト（図１−４）より、傘等のカバーの取り出し、収納、が自在にできる。【００６７】  ベルト（図１−４）、傘等のカバーは、各々、止め具を設置可能である。【００６８】  記のべルトは、長短調節可能具設置可能、着脱自在具設置可能ベルト。【００６９】
【符号の説明】
【００７０】  １．    ベルト巻き取り機
２．    ベルト受け具
３．    ベルト出し入れ口
４．    ベルト
５．    連結部
６．    傘等の骨部
７．    傘等の本体部
８．    ベルト長短調節部
【図１】
2018079271.tif 000003